(57)【要約】【課題】スルー画表示中であっても、応答速度の早いＡＦであるＴＴＬ位相差ＡＦを行うことができるデジタル一眼レフレックスカメラを提供すること。【解決手段】撮影光路内への進入及び撮影光路外への退避が自在である第１反射ミラー２０１と、撮影光路内への進入及び撮影光路外への退避が自在であるサブミラー２０３とを具備し、スルー画表示動作中にレリーズボタンの操作が為された場合には、上記サブミラー２０３を撮影光路内に進入させ、測距回路２１７内に設けられた測距センサの出力に基づいて測距動作を行う。【選択図】図７
2007279138.tif 000002
【特許請求の範囲】
【請求項１】
被写体光束が結像する撮像素子を含む撮像手段と、
上記撮像手段によって取得した画像データを表示する表示手段と、
上記撮像手段への上記被写体光束の経路であるの撮影光路内への進入及び上記撮影光路外への退避が自在であり、且つ上記撮影光路内に位置している時は上記被写体光束をファインダ光学系に導く第１のミラー手段と、
上記撮像手段に結像する被写体像の焦点ズレ量を検出する為の測距センサと、
上記第１のミラー手段と上記撮像素子との間に配置され、上記撮影光路内への進入及び上記撮影光路外への退避が自在であり、且つ上記撮影光路内に位置している時は上記被写体光束を上記測距センサに導く第２のミラー手段と、
上記第１のミラー手段及び上記第２のミラー手段を上記撮影光路内から退避させ、且つ上記撮像手段によって取得した画像データをスルー画として上記表示手段にリアルタイムに表示する制御手段と、
を具備し、
上記制御手段は、上記スルー画の表示動作中にレリーズボタンの操作を検出した場合には、上記第２のミラー手段を上記撮影光路内に進入させ、上記測距センサからの出力に基づいて測距動作を行うことを特徴とするデジタル一眼レフレックスカメラ。
【請求項２】
上記制御手段は、上記スルー画の表示動作中において上記測距動作を行い且つ当該測距動作が完了した場合、上記第２のミラー手段を上記撮影光路外へ退避させることを特徴とする請求項１に記載のデジタル一眼レフレックスカメラ。
【請求項３】
上記制御手段は、上記スルー画の表示動作中でなく且つ上記撮像手段による撮像動作が行われていない時には、上記第１のミラー手段及び上記第２のミラー手段を、上記撮像手段の撮影光路内に進入配置することを特徴とする請求項１に記載のデジタル一眼レフレックスカメラ。
【請求項４】
上記第１のミラー手段はハーフミラーで構成されたハーフミラー部を有し、
上記第２のミラー手段は、上記第１のミラー手段における上記ハーフミラー部を透過した被写体光束を、上記測距センサに導くことを特徴とする請求項３に記載のデジタル一眼レフレックスカメラ。
【発明の詳細な説明】
【技術分野】
【０００１】
本発明は、スルー画表示機能を有するデジタル一眼レフレックスカメラに関する。
【背景技術】
【０００２】
一般に、デジタルカメラは液晶モニタ（Ｌｉｑｕｉｄ  Ｃｒｙｓｔａｌ  Ｄｉｓｐｌａｙ：ＬＣＤ）からなる画像表示装置を具備している。そして、この液晶モニタは、主として記録媒体に記録されている画像データを再生表示させる表示部材として用いられている。
【０００３】
ところで、近年一部のデジタルカメラは、撮影時に撮影者がフレーミングを決定するに際して、当該デジタルカメラの有する撮像素子により生成される画像データを順次連続的に（人間の目には動画像として映るように）上記液晶モニタに表示させる機能、いわゆるスルー画表示機能（電子ビューファインダ機能とも称される）を有する。言い換えれば、スルー画表示機能は、当該デジタルカメラの有する撮像素子が生成する画像データを常時モニタすることができる機能である。また、このようなスルー画表示を行う液晶モニタは、光学ファインダの代わりとして用いることができる。
【０００４】
ところで、スルー画表示機能はコンパクトデジタルカメラにおいては多く見受けられる。そして、近年、スルー画表示機能をデジタル一眼レフレックスカメラに搭載させる提案も種々為されている。
【０００５】
例えば特許文献１には、光学ファインダ表示及びスルー画表示を選択的に行うことができるデジタル一眼レフレックスカメラが開示されている。このデジタル一眼レフレックスカメラでは、被写体光束をファインダ光学系に導く可動ミラーを撮影光路から退避させ且つフォーカルプレーンシャッタを全開状態にすることで、被写体像を撮像素子に導く。特許文献１に開示された一眼レフレックスデジタルカメラでは、このようにして上記撮像素子にて取得した被写体像を、連続的に液晶モニタに表示させることでスルー画表示を行う。そして、特許文献１に開示された方式のスルー画によれば、撮影画像とほぼ等価の画像をスルー画として確認できるという利点、及びスルー画の為の新たな部品を追加する必要がないといった利点がある。
【０００６】
また、例えば特許文献２には、多画素タイプの撮像素子で取得した画像信号を画像として表示する画像表示装置を備え、確認用動画像（スルー画）及び静止画像の表示を行い得る一眼レフレックスデジタルカメラが開示されている。このデジタル一眼レフレックスカメラでは、一眼レフレックスファインダの光路内にハーフミラーを配置することで、観察用光束の一部を撮像素子に導く。特許文献２に開示されたデジタル一眼レフレックスカメラでは、このようにして上記撮像素子で撮像した被写体像を、上記画像表示装置に動画像として表示させることでスルー画表示を行う。
【特許文献１】特開２００２−３６９０４２号公報
【特許文献２】特開２０００−１７５１００号公報
【発明の開示】
【発明が解決しようとする課題】
【０００７】
しかしながら、上記特許文献１及び２に開示されたデジタル一眼レフレックスカメラは、以下のような共通の課題を抱えている。すなわち、スルー画表示中には、被写体光束をファインダ光学系に導く可動ミラーを、撮影光路外に退避させなければならない為、被写体光束を測距回路へ導くことができないという課題である。従って、上記特許文献１及び２に開示されたデジタル一眼レフレックスカメラにおいては、スルー画表示中には、従来の一眼レフレックスカメラで一般的に採用されているＴＴＬ位相差ＡＦを行うことができない。
【０００８】
本発明は、上記の事情に鑑みてなされたもので、スルー画表示中であっても、応答速度の早いＴＴＬ位相差ＡＦを行うことができるデジタル一眼レフレックスカメラを提供することを目的とする。
【課題を解決するための手段】
【０００９】
上記の目的を達成するために、本発明の第１の態様によるデジタル一眼レフレックスカメラは、被写体光束が結像する撮像素子を含む撮像手段と、上記撮像手段によって取得した画像データを表示する表示手段と、上記撮像手段への上記被写体光束の経路であるの撮影光路内への進入及び上記撮影光路外への退避が自在であり、且つ上記撮影光路内に位置している時は上記被写体光束をファインダ光学系に導く第１のミラー手段と、上記撮像手段に結像する被写体像の焦点ズレ量を検出する為の測距センサと、上記第１のミラー手段と上記撮像素子との間に配置され、上記撮影光路内への進入及び上記撮影光路外への退避が自在であり、且つ上記撮影光路内に位置している時は上記被写体光束を上記測距センサに導く第２のミラー手段と、上記第１のミラー手段及び上記第２のミラー手段を上記撮影光路内から退避させ、且つ上記撮像手段によって取得した画像データをスルー画として上記表示手段にリアルタイムに表示する制御手段と、を具備し、上記制御手段は、上記スルー画の表示動作中にレリーズボタンの操作を検出した場合には、上記第２のミラー手段を上記撮影光路内に進入させ、上記測距センサからの出力に基づいて測距動作を行うことを特徴とする。
【発明の効果】
【００１０】
本発明によれば、スルー画表示中であっても、応答速度の早いＡＦであるＴＴＬ位相差ＡＦを行うことができるデジタル一眼レフレックスカメラを提供することができる。
【発明を実施するための最良の形態】
【００１１】
以下、図面を参照して本実施形態に係るデジタル一眼レフレックスカメラを説明する。
【００１２】
［第１実施形態］
図１は、本第１実施形態に係るデジタル一眼レフレックスカメラの外観斜視図である。図１に示すように、本第１実施形態に係るデジタル一眼レフレックスカメラは、カメラ本体２０と、交換レンズとしてのレンズ鏡筒１０とから構成されている。該レンズ鏡筒１０は上記カメラ本体２０の前面のマウント部に着脱自在となっている。なお、本第１実施形態では、上記レンズ鏡筒１０と上記カメラ本体２０とは別体で構成され、図示しない通信接点を介して電気的に接続されている。しかしながら、上記レンズ鏡筒１０と上記カメラ本体２０とを一体に構成することも勿論可能である。
【００１３】
上記カメラ本体２０の上面にはレリーズボタン２１、モードダイヤル２２、パワースイッチレバー２３、及びコントロールダイヤル２４等が配置されている。上記レリーズボタン２１は、撮影者が半押しするとＯＮする第１レリーズスイッチと、全押しするとＯＮする第２レリーズスイッチを有している。この第１レリーズスイッチ（以下、１Ｒとも称する）のＯＮによりカメラは焦点検出、レンズ鏡筒１０内の撮影レンズのピント合わせ等の撮影準備動作を行う。そして、第２レリーズスイッチ（以下、２Ｒとも称する）のＯＮにより、被写体輝度の測光等を行い、その後撮像素子の出力に基づいて被写体像の画像データの取り込みを行う撮影動作を実行する。モードダイヤル２２は回転可能に構成された操作部材であり、モードダイヤル上の図示しない撮影モードを表す絵表示を指標に合致させることにより、プログラムモード、絞り優先モード、シャッタ優先モード、ポートレートモード、オートモード等の撮影モードを選択することができる。上記パワースイッチレバー２３はデジタル一眼レフレックスカメラの電源のＯＮまたはＯＦＦを行うための操作部材であり、ＯＮまたはＯＦＦの２つの位置に回動可能に構成されている。上記コントロールダイヤル２４は、シャッタ速度、絞り値、感度、補正値等の撮影情報の設定を行うための操作部材であり、回転操作により種々の設定値の変更を行うことができる。
【００１４】
上記カメラ本体２０の背面には、液晶モニタ２６、再生ボタン２７、メニューボタン２８、十字キー３０、ＯＫボタン３１、ファインダ３３、スルー画切り換えボタン３４、表示切り換えボタン３５、及びプレビューボタン３６が配置されている。上記再生ボタン２７は、撮影後に上記液晶モニタ２６への記録した被写体画像表示を指示する為の操作ボタンである。後述するＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）２３７や記録媒体２４５にＪＰＥＧ等の圧縮モードで記録されている被写体の画像データを伸張して表示する。上記十字キー３０は上記液晶モニタ２６上で、Ｘ方向とＹ方向の２次元方向にカーソルの移動を指示する為の操作部材である。上記ＯＫボタン３１は、十字キー３０等によって選択された各種項目を確定する為の操作部材である。上記メニューボタン２８は、メニューモードに切り換える為のボタンであり、このメニューボタン２８の操作によってメニューモードを選択すると、上記液晶モニタ２６にメニュー画面が表示される。メニュー画面は複数の階層構造となっており、上記十字キー３０で各種項目を選択し、上記ＯＫボタン３１の操作により選択を決定する。上記表示切り換えボタン３５は、撮像素子の出力に基づいて上記液晶モニタ２６に被写体像を表示するスルー画表示に切り換える為の操作部材である。なお、詳しくは後述するが本実施形態に係るデジタル一眼レフレックスカメラには、スルー画表示として、スルー画Ａモード及びスルー画Ｂモードの２種類があり、上記スルー画切り換えボタン３４はこれら２つのモードを切り換える為の操作ボタンである。上記プレビューボタン３６は、被写体像の観察時に焦点深度を確認するために、レンズ鏡筒１０内の絞りを開放状態から絞り込むための指令を出す為の操作ボタンである。
【００１５】
なお、上記スルー画Ａモードと上記スルー画Ｂモードとの大きな相違点は、上記スルー画Ａモードにおいては撮像素子としてファインダ内ＣＣＤ２７９を用い、上記スルー画Ｂモードにおいては撮像素子としてメインＣＣＤ２２１を用いる点である。なお、上記ファインダ内ＣＣＤ２７９及び上記メインＣＣＤ２２１の詳細については、図２を参照して後述する。
【００１６】
上記再生ボタン２７、上記メニューボタン２８、上記スルー画切り換えボタン３４、上記表示切り換えボタン３５、及び上記プレビューボタン３６に関してはいずれも、当該デジタル一眼レフレックスカメラの電源がＯＮとなっている時には、これら操作ボタンの操作に応じて発生する信号が、後述するＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ  ；特定用途向け集積回路）２６３に送信される。
【００１７】
上記液晶モニタ２６は、被写体像を観察用にスルー画として表示したり、撮影済みの被写体像を再生表示したり、カメラ情報やメニューを表示する為の表示装置である。従って、これらの表示を行うことができるモニタであれば、上記液晶モニタ２６の代わりに他のモニタを用いても勿論良い。なお、図示はしてないが、上記カメラ本体２０に対して角度を自在に変更できるよう構成されている。
【００１８】
図２は、本第１実施形態に係るデジタル一眼レフレックスカメラの全体構成を示すブロック図である。上記レンズ鏡筒１０の内部には、ピント調節および焦点距離調節用のレンズ１０１ａ、１０１ｂと、開口量を調節する為の絞り１０３が配置されている。上記レンズ１０１ａ及び上記レンズ１０１ｂは、レンズ駆動機構１０７によって駆動される。絞り１０３は、絞り駆動機構１０９によって駆動される。上記レンズ駆動機構１０７及び上記絞り駆動機構１０９は、それぞれレンズＣＰＵ１１１に接続されている。このレンズＣＰＵ１１１は、図示しない通信接点を介してカメラ本体２０に接続されている。なお、レンズＣＰＵ１１１は、レンズ鏡筒１０内の制御を行う。すなわち、レンズＣＰＵ１１１は、上記レンズ駆動機構１０７を制御してピント合わせや、ズーム駆動を行うとともに、上記絞り駆動機構１０９を制御して絞り値制御を行う。
【００１９】
上記カメラ本体２０内には、第１反射ミラー２０１が配置されている。該第１反射ミラー２０１の近傍（本第１実施形態に係るデジタル一眼レフレックスカメラにおけるファインダ光学系を構成する各部材同士の位置関係については、図５を参照して後に詳述する）には、被写体像を結像する為のフォーカシングスクリーン２０５が配置されている。そして、該フォーカシングスクリーン２０５に入射した被写体光束にとっての光路上の後方には、第２反射ミラー２７１、第３反射ミラー２７３、第４反射ミラー２７５が配置されており、上記フォーカシングスクリーン２０５で一旦結像した被写体像は、その後順次上記第２反射ミラー２７１、第３反射ミラー２７３、第４反射ミラー２７５にて反射される。ここで、上記第２反射ミラー２７１はハーフミラーで構成されており、上記第２反射ミラーを透過した光束が入射する位置に測光センサ２８１が配置されている。また、上記第４反射ミラー２７５もハーフミラーで構成されており、上記第４反射ミラー２７５を透過した光束が入射する位置には結像レンズ２７７及びファインダ内ＣＣＤ２７９（図面中においては、Ｆ内ＣＣＤと略記）が配置されている。そして、上記第４反射ミラー２７５の反射光軸上には接眼レンズ２０９が配置されている。
【００２０】
ここで、上記ファインダ内ＣＣＤ２７９は、上記フォーカシングスクリーン２０５に結像された被写体像を光電変換する撮像素子である。なお、上記ファインダ内ＣＣＤ２７９の代わりに、ファインダ内撮像素子としてＣＭＯＳ（Ｃｏｍｐｌｅｍｅｎｔａｒｙ  Ｍｅｔａｌ  ０ｘｉｄｅ  Ｓｅｍｉｃｏｎｄｕｃｔｏｒ）等を用いても勿論よい。また、画素数に関しては、上記ファインダ内ＣＣＤ２７９は被写体像観察用に用いるだけなので、後述するメインＣＣＤ２２１の画素数よりも少なくてもよい。
【００２１】
ところで、上記第１反射ミラー２０１の中央部付近は、ハーフミラーで構成されているハーフミラー部となっている。従って、該ハーフミラー部を透過した被写体光束は、後述するサブミラー２０３に入射する。
【００２２】
なお、従来のデジタル一眼レフレックスカメラにおいては、測距センサを有する測距回路に、被写体光束を導く為のサブミラーは、第１反射ミラーの反射鏡面の裏面側に設けられており、第１反射ミラーが撮影光路から退避する位置に駆動された場合には、それに伴ってサブミラーは第１反射ミラーに密着して折り畳まれるようになっている。
【００２３】
しかしながら、本第１実施形態に係るデジタル一眼レフレックスカメラでは、上記サブミラー２０３を、上記第１反射ミラー２０１とは独立して駆動する為のサブミラー駆動機構２１６を設ける。すなわち、後述する測距回路２１７によって測距が行われる場合には、上記サブミラー２０３は、被写体像からの光束を、上記測距回路２１７へ導くような位置へ、上記サブミラー駆動機構２１６によって駆動される。そして、この駆動は、当然ながら上記第１反射ミラー２０１の駆動とは独立して行われる。このようなサブミラー２０３の駆動構造は、本第1実施形態に係るデジタル一眼レフレックスカメラにおける主な特徴の１つである。
【００２４】
そして、サブミラー２０３の反射光路上には、測距用センサを含む位相差方式の測距回路２１７が配置されている。この測距回路２１７は、上記レンズ１０１ａ及び１０１ｂによって結像される被写体像の焦点ズレ量を検出するための回路である。
【００２５】
また、上記レンズ１０１ａ及び上記レンズ１０１ｂの光軸上であって且つ上記レンズ１０１ａ及び上記レンズ１０１ｂから見て上記第１反射ミラー２０１の奥側には、露光時間制御用のフォーカルプレーンタイプのシャッタ２１３が配置されている。このシャッタ２１３は、シャッタ駆動機構２１５によって駆動制御される。さらに、上記レンズ１０１ａ及び上記レンズ１０１ｂから見て上記シャッタ２１３の奥側には、二次元撮像素子としてのメインＣＣＤ２２１が配置されている。このメインＣＣＤ２２１は、上記レンズ１０１ａ及び１０１ｂを介して結像する被写体像を電気信号に光電変換する。なお、本第１実施形態では撮像素子としてＣＣＤを用いているが、これに限らずＣＭＯＳ等の二次元撮像素子を使用できることは勿論である。ここで、上記メインＣＣＤ２２１は、ＣＣＤ駆動回路２２３に接続されている。そして、上記メインＣＣＤ２２１においては、上記ＣＣＤ駆動回路２２３によって上記電気信号のアナログデジタル変換（ＡＤ変換）がなされる。
【００２６】
ここで、上記ＣＣＤ駆動回路２２３は、入出力回路２３９を介して、後述するシーケンスコントローラ（以下、ボディＣＰＵと称す）２２９から制御を受ける。すなわち、上記ＣＣＤ駆動回路２２３は、入出力回路２３９を介してボディＣＰＵ２２９の制御を受けて、メインＣＣＤ２２１の電源のＯＮ及びＯＦＦの制御、メインＣＣＤ２２１の撮像のタイミングの供給、ファインダ内ＣＣＤ２７９の出力とのバラツキの調整、光電変換信号の増幅（ゲイン調整）等を行う。なお、上記ファインダ内ＣＣＤ２７９を駆動するＣＣＤ駆動回路２８３（詳しくは後述）も同様の機能を有する。すなわち、上記ファインダ内ＣＣＤ２７９は、ＣＣＤ駆動回路２８３に接続されており、該ＣＣＤ駆動回路２８３によって上記電気信号のアナログデジタル変換（Ａ／Ｄ変換）がなされる。
【００２７】
そして、上記ＣＣＤ駆動回路２２３及び上記ＣＣＤ駆動回路２８３は、ＣＣＤ切り換え回路２８５に接続されている。このＣＣＤ切り換え回路２８５は、上記入出力回路２３９からの切り換え制御ラインによって、ＣＣＤ駆動回路２８３及びＣＣＤ駆動回路２８５のうち何れかを選択するように制御される。
【００２８】
ここで、上記ＣＣＤ切り換え回路２８５は、ＣＣＤインターフェース２２５を介して画像処理回路２２７に接続されている。この画像処理回路２２７は、色補正、ガンマ（γ）補正、コントラスト補正、白黒・カラーモード処理といった各種の画像処理を行う。また、上記画像処理回路２２７は、ＡＳＩＣ２６３内のデータバス２６１に接続されている。
【００２９】
ここで、上記ＡＳＩＣ２６３は、ＣＣＤインターフェース２２５と、画像処理回路２２７と、ボディＣＰＵ２２９と、圧縮回路２３１と、フラッシュメモリ制御回路２３３と、ＳＤＲＡＭ制御回路２３６と、上記入出力回路２３９と、通信回路２４１と、記録媒体制御回路２４３と、ビデオ信号出力回路２４７と、スイッチ検出回路２５３と、上記データバス２６１とから構成されている。
【００３０】
そして、上記データバス２６１には、上記画像処理回路２２７の他、上記ボディＣＰＵ２２９、上記圧縮回路２３１、上記フラッシュメモリ制御回路２３３、上記ＳＤＲＡＭ制御回路２３６、上記入出力回路２３９、上記通信回路２４１、上記記録媒体制御回路２４３、上記ビデオ信号出力回路２４７、上記スイッチ検出回路２５３が接続されている。上記ボディＣＰＵ２２９は、当該デジタル一眼レフレックスカメラにおける図６乃至図１２に示すフローチャートに示す処理を制御する。上記圧縮回路２３１は、後述するＳＤＲＡＭ２３７に記録された画像データ等をＪＰＥＧで圧縮する為の回路である。なお、画像圧縮はＪＰＥＧに限らず、他の圧縮方法も適用できる。
【００３１】
上記フラッシュメモリ制御回路２３３は、フラッシュメモリ２３５に接続されている。このフラッシュメモリ２３５には、当該デジタル一眼レフレックスカメラのフローを制御する為のプログラムが記録されている。上記ボディＣＰＵ２２９は、このフラッシュメモリ２３５に記録されたプログラムに従って当該デジタル一眼レフレックスカメラの制御を行う。なお、フラッシュメモリ２３５は、電気的に書き換え可能な不揮発性メモリである。また、上記ＳＤＲＡＭ２３７は、ＳＤＲＡＭ制御回路２３６を介してデータバス２６１に接続されている。そして、上記ＳＤＲＡＭ２３７は、画像処理回路２２７によって画像処理された画像情報または圧縮回路２３１によって圧縮された画像情報を一時的に記録する為のメモリである。
【００３２】
ここで、上記シャッタ駆動機構２１５、上記測距回路２１７、上記ミラー駆動機構２１９、上記ＣＣＤ駆動回路２２３、上記測光センサ２８１、上記ＣＣＤ駆動回路２８３、上記ＣＣＤ切り換え回路２８５が接続されている入出力回路２３９は、上記データバス２６１を介して上記ボディＣＰＵ２２９等と共に、当該入出力回路２３９に接続されている上記の各部材とのデータの入出力を制御する。
【００３３】
また、上記レンズＣＰＵ１１１と図示しない通信接点を介して接続された通信回路２４１は、ボディＣＰＵ２２９等とのデータのやりとりや制御命令の通信を行う。
【００３４】
ところで、記録媒体制御回路２４３は、記録媒体２４５に接続されている。そして、上記記録媒体制御回路２４３は、上記記録媒体２４５への画像データ等の記録の制御を行う。なお、上記記録媒体２４５は、ｘＤピクチャーカード（登録商標）、コンパクトフラッシュ（登録商標）、ＳＤメモリカード（登録商標）、メモリスティック（登録商標）またはハードディスクドライブ（ＨＤ）等の書換え可能な記録媒体で構成されている。また、上記記録媒体２４５は、上記カメラ本体２０に対して着脱自在となっている。
【００３５】
さらに、ビデオ信号出力回路２４７は、液晶モニタ駆動回路２４９を介して液晶モニタ２６に接続されている。ここで、上記ビデオ信号出力回路２４７は、ＳＤＲＡＭ２３７または記録媒体２４５に記録された画像データを、液晶モニタ２６に表示する為のビデオ信号に変換する為の回路である。
【００３６】
なお、上記液晶モニタ２６は、上記カメラ本体２０の背面に図１に図示されるごとく配置されているが、この配置位置としては、撮影者が観察できる位置であれば、背面に限られない。
【００３７】
また、上記レリーズボタン２１の第１レリーズスイッチ及び第２レリーズスイッチのＯＮ／ＯＦＦを検出するスイッチ、モードダイヤル２２、パワースイッチレバー２３、コントロールダイヤル２４、再生ボタン２７、メニューボタン２８、十字キー３０、ＯＫボタン３１、スルー画切り換えボタン３４、表示切り換えボタン３５、プレビューボタン３６、レンズ検出スイッチ３９等を含む各種スイッチ２５５（図２では各種ＳＷと略記）は、スイッチ検出回路２５３を介してデータバス２６１に接続されている。
【００３８】
なお、本第１実施形態に係るデジタル一眼レフレックスカメラは、通常のデジタル一眼レフレックスカメラと同じく、上記第１反射ミラー２０１の駆動と上記フォーカルプレーンシャッタ２１３のシャッタチャージとを一つのアクチュエータで独立して行う構造とする。
【００３９】
次に、図３及び図４を参照して、本第１実施形態に係るデジタル一眼レフレックスカメラにおけるモード切り換えについて説明する。なお、図３は本第１実施形態に係るデジタル一眼レフレックスカメラにおけるモード切り換えの概念を示す図であり、図４は上記ボディＣＰＵ２２９によるモード切り換えに関する処理を示すフローチャートである。
【００４０】
ユーザーによる上記パワースイッチレバー２３の操作によって、当該デジタル一眼レフレックスカメラの電源スイッチがＯＮされると、上記ボディＣＰＵ２２９が上記スイッチ検出回路２５３及び上記データバス２６１を介して電源スイッチのＯＮを検出し、当該デジタル一眼レフレックスカメラを、スリープ状態（低消費電力状態）から復帰させる。なお、本第１実施形態においては、上記電源スイッチがＯＮされた後、上記スルー画切り換えボタン３４または上記表示切り換えボタン３５が操作されるまでは、後述する通常撮影モードにおける動作制御を行うとする。
【００４１】
まず、上記スルー画切り換えボタン３４または上記表示切り換えボタン３５がユーザーにより操作されたか否かを検出し、該検出に従って、通常撮影モード、上記スルー画Ａモード、及び上記スルー画Ｂモードのうち何れのモードが選択されたかを判定する（ステップＳ１）。
【００４２】
ここで、上記スルー画切り換えボタン３４または上記表示切り換えボタン３５の操作と、モード切り換えとの具体的な関係を、図３を参照して説明する。
【００４３】
まず、上記表示切り換えボタン３５は、前述したように、上記液晶モニタ２６における表示をスルー画表示に切り換える為の操作部材である。したがって、図３に示す“表示切り換え操作（１）”及び“表示切り換え操作（２）”は、上記表示切り換えボタン３５の操作により行われる。換言すれば、通常撮影モードからスルー画Ａモードへの切り換え、若しくはスルー画Ａモードから通常撮影モードへの切り換え（以上“表示切り換え操作（１）”）、及び通常撮影モードからスルー画Ｂモードへの切り換え、若しくはスルー画Ｂモードから通常撮影モードへの切り換え（以上“表示切り換え操作（２）”）の切り換えは、上記表示切り換えボタン３５にて行われる。
【００４４】
一方、上記スルー画切り換えボタン３４は、スルー画Ａモードからスルー画Ｂモードへの切り換え、及びスルー画Ｂモードからスルー画Ａモードへの切り換えの為の操作部材である。従って、図３に示す“スルー画切り換え操作”は、上記スルー画切り換えボタン３４にて行われる。
【００４５】
ところで、上記ステップＳ１にて、ユーザーにより切り換えられたモードを判定した後は、その判定したモードにおける動作制御を行う。すなわち、スルー画Ａモード（ステップＳ２）、スルー画Ｂモード（ステップＳ３）、通常撮影モード（ステップＳ４）の何れか該当するモードの処理を開始する。なお、スルー画Ａモード（ステップＳ２）における動作制御の詳細は、図７及び図８に示すサブルーチンを参照して説明する。また、スルー画Ｂモード（ステップＳ３）における動作制御の詳細は、図９及び図１０に示すサブルーチン（本第１実施形態対応）、図１１及び図１２に示すサブルーチン（後述する第２実施形態対応）を参照して説明する。同様に、通常撮影モード（ステップＳ４）における動作制御の詳細は、図６及び図７に示すサブルーチンを参照して説明する。
【００４６】
ここで、上記の各モードにおける撮影準備動作及び撮影動作の過程を、ユーザーによる上記第１レリーズスイッチ及び上記第２レリーズスイッチの操作の観点から説明する。
【００４７】
通常撮影モードにおいては、撮影者により上記レリーズボタン２１が半押しされることで上記１ＲがＯＮされると、当該デジタル一眼レフレックスカメラは焦点検出、撮影レンズ１０１（以降、説明の便宜上、上記レンズ１０１ａ及び上記レンズ１０１ｂをまとめて撮影レンズ１０１と称する）のピント合わせを行う（撮影準備動作Ｃ）。ここで、撮影者による上記レリーズボタン２１の半押し状態が解除されると、上記１ＲがＯＦＦとなり、撮影準備動作Ｃを中止する。一方、上記撮影準備動作Ｃの状態において撮影者により上記レリーズボタン２１が全押しされることで上記２ＲがＯＮされると、当該デジタル一眼レフレックスカメラは、被写体輝度の測光等を行い、その後上記メインＣＣＤ２２１の出力に基づいて被写体像の画像データの取り込みを行う撮影動作を実行する（撮影動作Ｃ）。そして、該撮影動作Ｃを終えると、上記撮影準備動作Ｃに戻る。通常、撮影動作Ｃが終了すると、ユーザーにより上記１ＲがＯＦＦされるので、上記撮影準備動作Ｃが中止される。
【００４８】
同様に、スルー画Ａモードにおいては、撮影者により上記レリーズボタン２１が半押しされることで上記１ＲがＯＮされると、当該デジタル一眼レフレックスカメラは焦点検出、撮影レンズ１０１のピント合わせを行う（撮影準備動作Ａ）。ここで、撮影者による上記レリーズボタン２１の半押し状態が解除されると、上記１ＲがＯＦＦとなり、撮影準備動作Ａを中止する。一方、上記撮影準備動作Ａの状態において撮影者により上記レリーズボタン２１が全押しされることで上記２ＲがＯＮされると、当該デジタル一眼レフレックスカメラは、被写体輝度の測光等を行い、その後後上記メインＣＣＤ２２１の出力に基づいて被写体像の画像データの取り込みを行う撮影動作を実行する（撮影動作Ａ）。そして、該撮影動作Ａを終えると、上記撮影準備動作Ａに戻る。通常、撮影動作Ａが終了すると、ユーザーにより上記１ＲがＯＦＦされるので、上記撮影準備動作Ａが中止される。
【００４９】
また、スルー画Ｂモードにおいては、撮影者により上記レリーズボタン２１が半押しされることで上記１ＲがＯＮされると、当該デジタル一眼レフレックスカメラは焦点検出、撮影レンズ１０１のピントあわせ、被写体輝度の測光等を行う（撮影準備動作Ｂ）。ここで、撮影者による上記レリーズボタン２１の半押し状態が解除されると、上記１ＲがＯＦＦとなり、撮影準備動作Ｂを中止する。一方、上記撮影準備動作Ｂの状態において撮影者により上記レリーズボタン２１が全押しされることで上記２ＲがＯＮされると、当該デジタル一眼レフレックスカメラは、上記メインＣＣＤ２２１の出力に基づいて被写体像の画像データの取り込みを行う撮影動作を実行する（撮影動作Ｂ）。そして、該撮影動作Ｂを終えると、上記撮影準備動作Ｂに戻る。通常、撮影動作Ｂが終了すると、ユーザーにより上記１ＲがＯＦＦされるので、上記撮影準備動作Ｂが中止される。
【００５０】
ところで、上記ステップＳ２乃至上記ステップＳ４の何れかにおける処理を終えた後、ユーザーによる上記パワースイッチレバー２３の操作によって、当該デジタル一眼レフレックスカメラの電源スイッチがＯＦＦされたか否かを判定する（ステップＳ５）。このステップＳ５において、当該デジタル一眼レフレックスカメラの電源スイッチがＯＦＦされたと判定した場合には、上記スリープ状態へ戻る。一方、上記ステップＳ５において、当該デジタル一眼レフレックスカメラの電源スイッチがＯＦＦされていないと判定した場合には、上記ステップＳ１へ戻る。なお、上記ステップＳ５における電源スイッチのＯＦＦの判定は、図４に示すフローチャートの一連の当該モード切り換え処理を抜ける為の一手段としての電源スイッチのＯＦＦの判定を示しており、当該モード切り換えの処理を終えた後でなければ電源スイッチのＯＦＦを判定する処理を行わないということを示すものではない。
【００５１】
以下、本発明の実施形態に係わるデジタル一眼レフレックスカメラの光学的な概略構成を、図５を参照して説明する。
【００５２】
まず、レンズ鏡筒１０の内部に配置された撮影レンズ１０１の光軸上であって、カメラ本体２０内に第１反射ミラー２０１が配置されている。この第１反射ミラー２０１は、被写体光束をファインダ光学系に反射する為に、上記撮影レンズ１０１の光軸に対して４５度傾いた位置と、被写体像を上記メインＣＣＤ２２１に導く為に、撮影光路から退避した位置とに回動可能となっている。
【００５３】
ここで、上記第１反射ミラー２０１の回動軸２０１ａは、カメラ本体２０の高さ方向に沿っており、該回動軸２０１ａを軸にして回動可能となっている。上記第１反射ミラー２０１によって、カメラ本体２０の前面からみて右方に被写体光束を全反射する。ここで、被写体光束の一部をＡＦ用ミラーである上記サブミラー２０３へ導く様に、上記第１反射ミラー２０１の中央部付近は、ハーフミラーで構成されている。なお、本第１実施形態では、右方に全反射しているが、当該反射における反射方向は右方に限られず、カメラ本体２０の上方でも左方でも、被写体光束の反射方向は機構部材や光学部材の配置上、最も適切になるように選択してよい。
【００５４】
ここで、上記第１反射ミラー２０１の反射光軸上に上記フォーカシングスクリーン２０５が配置されている。そして、上記第１反射ミラー２０１の反射光軸上であって且つ上記第１反射ミラー２０１から見て上記フォーカシングスクリーン２０５よりも奥側には、ハーフミラーで構成された上記第２反射ミラー２７１が配置されている。ここで、上記フォーカシングスクリーン２０５は、上記撮影レンズ１０１による被写体光束を結像させるためのマット面であり、上記第１反射ミラー２０１からの距離が上記メインＣＣＤ２２１（図３参照）と等価な位置に配置されている。
【００５５】
上記第２反射ミラー２７１は、カメラ本体２０の上方に被写体光束の一部を反射させる。ここで、反射させられなかった被写体光束である残りの被写体光束は、上記第２反射ミラー２７１を透過し、上記第１反射ミラー２０１の反射光軸上であって且つ上記第１反射ミラー２０１から見て上記第２反射ミラー２７１よりも奥側に配置された上記測光センサ２８１に入射する。この測光センサ２８１は、被写体輝度を測定するための７×７の分割測光センサであり、上記ＡＳＩＣ２６３内の上記入出力回路２３９に接続されている。
【００５６】
そして、上記第２反射ミラー２７１の反射光軸上には、上記第３反射ミラー２７３が配置されている。この第３反射ミラー２７３によって、カメラ本体２０の上部左方に被写体光束が全反射される。
【００５７】
さらに、上記第３反射ミラー２７３の反射光軸上には、ハーフミラーで構成される上記第４反射ミラー２７５が配置されている。この第４反射ミラー２７５の透過光軸上には、結像レンズ２７７及び二次元撮像素子としてファインダ内ＣＣＤ２７９が配置されている。また、このファインダ内ＣＣＤ２７９は、フォーカシングスクリーン２０５上に形成された被写体像を光電信号に変換し上記ＣＣＤ駆動回路２８３に出力する。そして、上記第４反射ミラー２７５の反射光軸上には、上記接眼レンズ２０９が配置されている。従って、上記第４反射ミラーで反射された被写体光束は、接眼レンズ２０９、上記ファインダ３３（図１参照）を通して撮影者によって被写体像として観察される。
【００５８】
さらに、上記第２反射ミラー２７１の近傍には、図５に示すように合焦表示用スーパーインポーズＬＥＤ２４０が配置されている。この合焦表示用スーパーインポーズＬＥＤ２４０により、ファインダ３３の視野内の被写体画面に重畳してＬＥＤ光が投影され、ファインダ３３の視野内に合焦表示（合焦動作が終了した旨の表示）が行われる。すなわち、この合焦表示用スーパーインポーズＬＥＤ２４０による合焦表示により、ユーザーは合焦動作の終了を確認することができる。なお、この合焦表示用スーパーインポーズＬＥＤ２４０は、上記ボディＣＰＵ２２９の制御を受けて動作する。
【００５９】
そして、本第１実施形態に特有の構成として、以下のような上記サブミラー２０３の駆動機構が挙げられる。まず、上記サブミラー２０３は、上記撮影レンズ１０１の光軸上且つ上記撮影レンズ１０１から見て上記第１反射ミラー２０１の奥側に配置されている。ここで、上記サブミラー２０３は、被写体像からの光束を、上記測距回路２１７へ導くような位置へ、例えばモータ２１６ａやピニオン２１６ｂを含むサブミラー駆動機構２１６によって駆動される。このように、本第１実施形態に係るデジタル一眼レフレックスカメラでは、上記サブミラー２０３は、上記第１反射ミラー２０１の駆動とは独立して駆動可能なように設けられている。本第１実施形態においては、スルー画Ｂモードの表示中に、上記メインＣＣＤ２２１への光路の途中に上記サブミラー２０３を進入させてＡＦを行うことになる。したがって、上記メインＣＣＤ２２１への光路を遮る部分をできるだけ少なくする為に、上記サブミラー２０３を支持する部材を透明のアクリル樹脂で構成する。さらに、上記メインＣＣＤ２２１への光路を遮る量を減らす工夫として、上記サブミラー２０３をハーフミラーで構成しても良い。
【００６０】
以下、図６に示すフローチャートを参照して、本第１実施形態における通常撮影モードにおけるボディＣＰＵ２２９での動作制御（図４に示すフローチャートにおけるステップＳ４のサブルーチン）を説明する。
【００６１】
まず、ユーザーによる上記スルー画切り換えボタン３４または上記表示切り換えボタン３５の操作で、前述したモード切り換え操作が行われたか否か、及びユーザーによる上記パワースイッチレバー２３の操作で電源スイッチがＯＦＦされたか否かを判定する（ステップＳ１１）。このステップＳ１１にてモード切り換え操作または電源スイッチのＯＦＦ操作が行われたと判定した場合には、図４に示すフローチャートのステップＳ１へリターンする。
【００６２】
上記ステップＳ１１をＮＯに分岐する場合は、ユーザーによってレリーズボタン２１が半押し（上記１ＲがＯＮ）されたか否かを上記スイッチ検出回路２５３及び上記データバス２６１を介して検出し、判定する（ステップＳ１２）。このステップＳ１２をＮＯに分岐する場合は、上記ステップＳ１１へ戻る。
【００６３】
一方、上記ステップＳ１２をＹＥＳに分岐する場合は、上記入出力回路２３９を介して上記測距回路２１７内に設けられたＡＦセンサー（不図示）の動作を開始させる（ステップＳ１３）。次に、上記ＡＦセンサーから出力されるセンサーデータが上記入出力回路２３９及び上記データバス２６１を介して入力され、このセンサーデータに基づいて、上記撮影レンズ１０１のデフォーカス量を算出し、且つ焦点調節の為に要する撮影レンズ１０１のレンズ駆動量を算出する（ステップＳ１４）。続いて、上記ステップＳ１４にて算出したデフォーカス量及びレンズ駆動量を参照して、上記撮影レンズ１０１の位置が合焦の範囲内の位置にあるか否かを判定する（ステップＳ１５）。
【００６４】
上記ステップＳ１５をＮＯに分岐する場合には、上記ステップＳ１４で算出した上記レンズ駆動量を、上記通信回路２４１を介して上記レンズＣＰＵ１１１に送信する。上記レンズ駆動量を受信したＣＰＵ１１１は、ボディＣＰＵ２２９が通知したレンズ駆動量に基づいて、上記撮影レンズ１０１の駆動制御を行う（ステップＳ１６）。このステップＳ１６の処理を終えた後は、上記ステップＳ１３へ戻る。
【００６５】
ところで、上記ステップＳ１５をＹＥＳに分岐する場合には、ユーザーによってレリーズボタン２１が半押し（上記１ＲがＯＮ）された状態が維持されているか否かを、上記スイッチ検出回路２５３及び上記データバス２６１を介して検出し、判定する（ステップＳ１７）。このステップＳ１７をＮＯに分岐する場合は、上記ステップＳ１１へ戻る。そして、上記ステップＳ１７をＹＥＳに分岐する場合は、ユーザーによって上記２ＲがＯＮされたか否か、即ちレリーズボタン２１が全押しされたか否かを、上記スイッチ検出回路２５３及び上記データバス２６１を介して検出し、判定する（ステップＳ１８）。このステップＳ１８をＮＯに分岐する場合は、上記ステップＳ１７へ戻る。
【００６６】
一方、上記ステップＳ１８をＹＥＳに分岐する場合は、上記測光センサ２８１によって測光処理を行い、且つこの測光処理結果が上記入出力回路２３９及び上記データバス２６１を介して入力され、この測光処理結果に基づいて露光量及び露光時間を演算する（ステップＳ１９）。
【００６７】
上記ステップＳ１９の処理を終えた後、上記入出力回路２３９を介して上記ミラー駆動機構２１９によって、メインミラーである上記第１反射ミラー２０１を、撮影光路内から退避させる（ステップＳ２０）。続いて、上記サブミラー２０３を、上記入出力回路２３９を介して上記サブミラー駆動機構２１６によって、撮影光路内から退避させる（ステップＳ２１）。
【００６８】
続いて、上記入出力回路２３９を介して上記ＣＣＤ切り換え回路２８５を切り換えて上記メインＣＣＤ２２１を記録用撮像素子として選択し、上記入出力回路２３９を介して上記ＣＣＤ駆動回路２２３によって上記メインＣＣＤ２２１に撮像動作を開始させる（ステップＳ２２）。
【００６９】
さらに、上記入出力回路２３９を介して上記シャッタ駆動機構２１５によって、上記フォーカルプレーンシャッタ２１３の先幕を走行させ（ステップＳ２３）、上記ステップＳ１９で演算した露光時間に達するまで露光時間の計時を行う（ステップＳ２４）。このステップＳ２４における計時時間が上記ステップＳ１９で演算した露光時間と一致した時に、上記入出力回路２３９を介して上記シャッタ駆動機構２１５によって、上記フォーカルプレーンシャッタ２１３の後幕を走行させる（ステップＳ２５）。この時、上記入出力回路２３９を介して上記ＣＣＤ駆動回路２２３によって上記メインＣＣＤ２２１の撮像動作を停止させる。
【００７０】
その後、上記入出力回路２３９を介して上記ミラー駆動機構２１９によって上記第１反射ミラー２０１を撮影光路内の位置に進入させ、且つ上記入出力回路２３９を介して上記シャッタ駆動機構２１５によって上記フォーカルプレーンシャッタ２１３をシャッタチャージさせる（ステップＳ２６）。そして、上記入出力回路２３９を介して上記サブミラー駆動機構２１６によって、上記サブミラー２０３を撮影光路内の位置に進入させる（ステップＳ２８）。
【００７１】
なお、記録用撮像素子である上記メインＣＣＤ２２１で得られた電気信号（画像信号）は、上記ＣＣＤインターフェース２２５によって読み出してデジタル化し（ステップＳ２９）、さらに画像処理回路２２７によって色補正、ガンマ（γ）補正、コントラスト補正、白黒・カラーモード処理といった各種の画像処理を行い、該画像処理によって取得した画像データを、上記ＳＤＲＡＭ制御回路２３６を介して上記ＳＤＲＡＭ２３７に記録する（ステップＳ３０）。
【００７２】
そして、上記ステップＳ３０の処理にて得られ、上記ＳＤＲＡＭ制御回路２３６を介して上記ＳＤＲＡＭ２３７に記録した画像データを、上記圧縮回路２３１によってＪＰＥＧ方式などの周知の圧縮方式によって圧縮する。このＪＰＥＧ圧縮によって得られたＪＰＥＧデータを、上記ＳＤＲＡＭ２３７に格納した後、所定のヘッダ情報を付加してＪＰＥＧファイルとして、上記記録媒体制御回路２４３によって、上記記録媒体２４５に記録する（ステップＳ３１）。
【００７３】
その後、上記ステップＳ３１にて上記記録媒体２４５に記録した画像データを、上記記録媒体制御回路２４３を介して読み出し、上記ビデオ信号出力回路２４７を介して上記液晶モニタ駆動回路２４９によって、上記液晶モニタ２６に表示させる（ステップＳ３２）。
【００７４】
以下、図７及び図８に示すフローチャートを参照して、本第１実施形態におけるスルー画ＡモードにおけるボディＣＰＵ２２９での動作制御（図４に示すフローチャートにおけるステップＳ２のサブルーチン）を説明する。
【００７５】
まず、上記入出力回路２３９を介して上記ＣＣＤ切り換え回路２８５によって、上記ファインダ内ＣＣＤ２７９をスルー画表示用撮像素子として選択する（ステップＳ４１）。そして、上記入出力回路２３９を介して上記ＣＣＤ駆動回路２８３によって、上記ファインダ内ＣＣＤ２７９に撮像動作を開始させる（ステップＳ４２）。ここで、記録用撮像素子である上記ファインダ内ＣＣＤ２７９で得られた電気信号（画像信号）を、上記ＣＣＤインターフェース２２５によって読み出して、画像データとして取り込む（ステップＳ４３）。さらに、該画像データを、上記ビデオ信号出力回路２４７を介して上記液晶モニタ駆動回路２４９によって、上記液晶モニタ２６に表示させる（ステップＳ４４）。
【００７６】
そして、ユーザーによる上記スルー画切り換えボタン３４または上記表示切り換えボタン３５の操作で前述したモード切り換え操作が行われたか否か、及びユーザーによる上記パワースイッチレバー２３の操作で電源スイッチがＯＦＦされたか否かを、上記スイッチ検出回路２５３及び上記データバス２６１を介して検出し、判定する（ステップＳ４５）。このステップＳ４５にてモード切り換え操作が行われたと判定した場合、または電源スイッチをＯＦＦとする操作が行われたと判定した場合には、図４に示すフローチャートのステップＳ１へリターンする。
【００７７】
上記ステップＳ４５をＮＯに分岐する場合は、ユーザーによってレリーズボタン２１が半押し（上記１ＲがＯＮ）されたか否かを判定する（ステップＳ４６）。このステップＳ４６をＮＯに分岐する場合は、上記ステップＳ４２へ戻る。
【００７８】
一方、上記ステップＳ４６をＹＥＳに分岐する場合は、上記測距回路２１７内に設けられたＡＦセンサー（不図示）の動作を開始させる（ステップＳ４７）。次に、上記ＡＦセンサーから出力されるセンサーデータが上記入出力回路２３９及び上記データバス２６１を介して入力され、このセンサーデータに基づいて、上記撮影レンズ１０１のデフォーカス量を算出し、且つ焦点調節の為に要する撮影レンズ１０１のレンズ駆動量を算出する（ステップＳ４８）。続いて、上記ステップＳ４８にて算出したデフォーカス量及びレンズ駆動量を参照して、上記撮影レンズ１０１の位置が合焦の範囲内の位置にあるか否かを判定する（ステップＳ４９）。
【００７９】
上記ステップＳ４９をＮＯに分岐する場合には、上記ステップＳ４８で算出した上記レンズ駆動量を、上記通信回路２４１を介して上記レンズＣＰＵ１１１に送信する。上記レンズ駆動量を受信したＣＰＵ１１１は、ボディＣＰＵ２２９が通知したレンズ駆動量に基づいて、上記撮影レンズ１０１の駆動制御を行う（ステップＳ５０）。このステップＳ５０の処理を終えた後は、上記ステップＳ４７へ戻る。
【００８０】
ところで、上記ステップＳ４９をＹＥＳに分岐する場合には、ユーザーによってレリーズボタン２１が半押し（上記１ＲがＯＮ）された状態が維持されているか否かを、上記スイッチ検出回路２５３及び上記データバス２６１を介して検出し、判定する（ステップＳ５１）。このステップＳ５１をＮＯに分岐する場合は、上記ステップＳ４２へ戻る。そして、上記ステップＳ５１をＹＥＳに分岐する場合は、ユーザーによって上記２ＲがＯＮされたか否か、即ちレリーズボタン２１が全押しされたか否かを、上記スイッチ検出回路２５３及び上記データバス２６１を介して検出し、判定する（ステップＳ５２）。
【００８１】
このステップＳ５２をＮＯに分岐する場合は、ステップＳ５３乃至ステップＳ５５の処理を実行する。ここで、ステップＳ５３乃至ステップＳ５５は、上記ステップＳ４２乃至上記ステップＳ４４と同様の処理を行うステップである為、ここでは説明を省略する。なお、上記ステップＳ４４と同様の処理を行うステップＳ４４における処理を終えた後、上記ステップＳ５１へ戻る。
【００８２】
一方、上記ステップＳ５２をＹＥＳに分岐する場合には、上記入出力回路２３９を介して上記ＣＣＤ切り換え回路２８５を切り換えて上記メインＣＣＤ２２１を記録用撮像素子として選択し（ステップＳ５６）、ステップＳ５７へ進む。以下、ステップＳ５７乃至ステップＳ７０は、図６に示すフローチャートのステップＳ１９乃至ステップＳ３２と同様の処理を行うステップである為、ここでは説明を省略する。なお、図６に示すフローチャートのステップＳ３２と同様の処理を行うステップＳ７０の処理を終えた後、上記ステップＳ４２へ戻る。
【００８３】
以下、図９及び図１０に示すフローチャートを参照して、本第１実施形態におけるスルー画ＢモードにおけるボディＣＰＵ２２９での動作制御（図４に示すフローチャートにおけるステップＳ３のサブルーチン）を説明する。
【００８４】
まず、上記入出力回路２３９を介して上記ミラー駆動機構２１９によって、上記第１反射ミラー２０１を、撮影光路内から退避させる（ステップＳ８１）。続いて、上記サブミラー２０３を、上記入出力回路２３９を介して上記サブミラー駆動機構２１６によって、撮影光路内から退避させる（ステップＳ８２）。そして、上記入出力回路２３９を介して上記シャッタ駆動機構２１５によって、上記フォーカルプレーンシャッタ２１３の先幕を走行させる（ステップＳ８３）。
【００８５】
次に、ユーザーによる上記スルー画切り換えボタン３４または上記表示切り換えボタン３５の操作で、前述したモード切り換え操作が行われたか否か、及びユーザーによる上記パワースイッチレバー２３の操作で電源スイッチがＯＦＦされたか否かを、上記スイッチ検出回路２５３及び上記データバス２６１を介して検出し、判定する（ステップＳ８４）。このステップＳ８４をＹＥＳに分岐する場合は、上記入出力回路２３９を介して上記シャッタ駆動機構２１５によって、上記フォーカルプレーンシャッタ２１３の後幕を走行させる（ステップＳ８５）。
【００８６】
その後、上記入出力回路２３９を介して上記ミラー駆動機構２１９によって上記第１反射ミラー２０１を撮影光路内の位置に進入させ、且つ上記入出力回路２３９を介して上記シャッタ駆動機構２１５によって上記フォーカルプレーンシャッタ２１３をシャッタチャージさせる（ステップＳ８６）。続いて、上記入出力回路２３９を介して上記サブミラー駆動機構２１６によって、上記サブミラー２０３を撮影光路内の位置に進入させる（ステップＳ８８）。そして、図４に示すフローチャートのステップＳ１へリターンする。
【００８７】
一方、上記ステップＳ８４をＮＯに分岐する場合は、上記入出力回路２３９を介して上記ＣＣＤ切り換え回路２８５を切り換えて上記メインＣＣＤ２２１を記録用撮像素子として選択し、上記メインＣＣＤ２２１に撮像動作を実行させる（ステップＳ８９）。ここで、記録用撮像素子である上記ファインダ内ＣＣＤ２７９で得られた電気信号（画像信号）を、上記ＣＣＤインターフェース２２５によって読み出して、画像データとして取り込む（ステップＳ９０）。さらに、該画像データを、上記ビデオ信号出力回路２４７を介して上記液晶モニタ駆動回路２４９によって、上記液晶モニタ２６に表示させる（ステップＳ９１）。
【００８８】
そして、ユーザーによってレリーズボタン２１が半押し（上記１ＲがＯＮ）されたか否かを、上記スイッチ検出回路２５３及び上記データバス２６１を介して検出し、判定する（ステップＳ９２）。このステップＳ９２をＮＯに分岐する場合は、上記ステップＳ８４へ戻る。
【００８９】
一方、上記ステップＳ９２をＹＥＳに分岐する場合には、上記入出力回路２３９を介して上記サブミラー駆動機構２１６によって、上記サブミラー２０３を撮影光路内の位置に進入させる（ステップＳ９３）。そして、上記測距回路２１７内に設けられたＡＦセンサー（不図示）の動作を開始させる（ステップＳ９４）。さらに、上記ＡＦセンサーから出力されるセンサーデータが上記入出力回路２３９及び上記データバス２６１を介して入力され、このセンサーデータに基づいて、上記撮影レンズ１０１のデフォーカス量、焦点調節の為の撮影レンズ１０１のレンズ駆動量及び駆動方向を算出する（ステップＳ９５）。続いて、上記ステップＳ９５における算出結果を参照して、上記撮影レンズ１０１の位置が合焦の範囲内の位置にあるか否かを判定する（ステップＳ９６）。
【００９０】
上記ステップＳ９６をＮＯに分岐する場合には、上記ステップＳ９５にて算出した上記撮影レンズ１０１のデフォーカス量、焦点調節の為の撮影レンズ１０１のレンズ駆動量及び駆動方向に基づいて、上記レンズＣＰＵ１１１が、上記撮影レンズ１０１の駆動制御を行う（ステップＳ９７）。そして、上記サブミラー２０３を、上記入出力回路２３９を介して上記サブミラー駆動機構２１６によって、撮影光路内から退避させる（ステップＳ９８）。
【００９１】
その後、ユーザーによってレリーズボタン２１が半押し（上記１ＲがＯＮ）されたか否かを、上記スイッチ検出回路２５３及び上記データバス２６１を介して検出し、判定する（ステップＳ９９）。このステップＳ９９をＮＯに分岐する場合は、上記ステップＳ８４へ戻る。一方、上記ステップＳ９９をＹＥＳに分岐する場合は、ステップＳ１００乃至ステップＳ１０２の処理を実行する。ここで、ステップＳ１００乃至ステップＳ１０２は、上記ステップＳ８９乃至上記ステップＳ９１と同様の処理を行うステップである為、ここでは説明を省略する。なお、上記ステップＳ９１と同様の処理を行うステップＳ１０２における処理を終えた後、ユーザーによって上記２ＲがＯＮされたか否か、即ちレリーズボタン２１が全押しされたか否かを、上記スイッチ検出回路２５３及び上記データバス２６１を介して検出し、判定する（ステップＳ１０３）。このステップＳ１０３をＮＯに分岐する場合は、上記ステップＳ９９へ戻る。
【００９２】
上記ステップＳ１０３をＹＥＳに分岐する場合は、上記入出力回路２３９を介して上記シャッタ駆動機構２１５によって、上記フォーカルプレーンシャッタ２１３の後幕を走行させる（ステップＳ１０４）。そして、上記入出力回路２３９を介して上記ミラー駆動機構２１９によって上記第１反射ミラー２０１を撮影光路内の位置に進入させ、且つ上記入出力回路２３９を介して上記シャッタ駆動機構２１５によって上記フォーカルプレーンシャッタ２１３をシャッタチャージさせる（ステップＳ１０５）。
【００９３】
続いて、上記測光センサ２８１によって測光処理を行い、この測光処理結果が上記入出力回路２３９及び上記データバス２６１を介して入力され、この測光処理結果基づいてボディＣＰＵ２２９が露光量及び露光時間を演算する（ステップＳ１０７）。そして、上記ミラー駆動機構２１９によって、上記第１反射ミラー２０１を、撮影光路内から退避させる（ステップＳ１０８）。この後、ステップＳ１１０乃至ステップＳ１２０の処理の処理を実行する。ここで、ステップＳ１１０乃至ステップＳ１２０は、上記ステップＳ６０乃至ステップＳ７０と同様の処理を行うステップである為、ここでは説明を省略する。なお、上記ステップＳ７０と同様の処理を行うステップＳ１２０を終えた後、上記ステップＳ８４へ戻る。
【００９４】
以上説明したように、本第１実施形態によれば、上記スルー画Ｂモード表示中であっても、応答速度の早いＡＦであるＴＴＬ位相差ＡＦを行うことができるデジタル一眼レフレックスカメラを提供することができる。
【００９５】
［第２実施形態］
以下、本発明の第２実施形態に係るデジタル一眼レフレックスカメラを説明する。
【００９６】
上記第１実施形態に係るデジタル一眼レフレックスカメラと本第２実施形態に係るデジタル一眼レフレックスカメラとの主な相違点は、以下の通りである。まず、上記第１実施形態に係るデジタル一眼レフレックスカメラは、上述したように通常のデジタル一眼レフレックスカメラと同じく、上記第１反射ミラー２０１の駆動と上記フォーカルプレーンシャッタ２１３のシャッタチャージとを一つのアクチュエータで独立して行う構造とした。しかしながら、本第２実施形態に係るデジタル一眼レフレックスカメラは、上記第１反射ミラー２０１の駆動と上記フォーカルプレーンシャッタ２１３のシャッタチャージとを、互いに独立した二つのアクチュエータで駆動する。すなわち、本第２実施形態においては、上記シャッタ駆動機構２１５は、上記フォーカルプレーンシャッタ２１３の駆動のみを行う為のアクチュエータを有している。このようにして、本第２実施形態に係るデジタル一眼レフレックスカメラでは、上記第１反射ミラー２０１の駆動と上記フォーカルプレーンシャッタのシャッタチャージとを別個に実行する。
【００９７】
以下、図１１及び図１２に示すフローチャートを参照して、本第２実施形態におけるスルー画ＢモードにおけるボディＣＰＵ２２９での動作制御（図４に示すフローチャートにおけるステップＳ３のサブルーチン）を説明する。なお、上記第１実施形態に係るデジタル一眼レフレックスカメラにおけるスルー画Ｂモードの説明時に参照した図９及び図１０に示すフローチャートにおける動作制御と同様の処理を行うステップには同様のステップ番号を付して説明を省略し、相違点のみを説明する。
【００９８】
本第２実施形態に係るデジタル一眼レフレックスカメラでは、上記第１反射ミラー２０１を撮影光路外へ退避させる前に、まず上記測光センサ２８１によって測光処理を行い、この測光処理結果が上記入出力回路２３９及び上記データバス２６１を介して入力され、この測光処理結果に基づいて上記ボディＣＰＵ２２９が露光量及び露光時間を演算する（ステップＳ８０）。その後、上記ステップＳ８１へ進む。
【００９９】
また、本第２実施形態に係るデジタル一眼レフレックスカメラは、上述したように、上記第１反射ミラー２０１の駆動と上記フォーカルプレーンシャッタ２１３のシャッタチャージとを、互いに独立した二つのアクチュエータで駆動する。従って、本第２実施形態に係るデジタル一眼レフレックスカメラでは、上記入出力回路２３９を介して上記ミラー駆動機構２１９によって上記第１反射ミラー２０１を撮影光路内に進入させ、且つ上記入出力回路２３９を介して上記シャッタ駆動機構２１５によって上記フォーカルプレーンシャッタ２１３のシャッタチャージを行う処理（ステップＳ８６）は、上記入出力回路２３９を介して上記ミラー駆動機構２１９によって上記第１反射ミラー２０１を撮影光路内に進入させる処理（ステップＳ８６Ａ）と、上記入出力回路２３９を介して上記シャッタ駆動機構２１５によって上記フォーカルプレーンシャッタ２１３のシャッタチャージを行う処理（ステップＳ８６Ｂ）とに分けて行うこととなる。
【０１００】
さらに、本第２実施形態に係るデジタル一眼レフレックスカメラでは、上記ステップＳ８１の処理にて上記第１反射ミラー２０１を撮影光路内から退避させて以降、上記第１反射ミラー２０１は撮影光路内から退避した状態を維持し続ける為、本第２実施形態においては、上記入出力回路２３９を介して上記ミラー駆動機構２１９によって上記第１反射ミラー２０１を撮影光路内に進入させ、且つ上記入出力回路２３９を介して上記シャッタ駆動機構２１５によって上記フォーカルプレーンシャッタ２１３のシャッタチャージを行う処理（ステップＳ１０５）は行わず、代わりに上記入出力回路２３９を介して上記シャッタ駆動機構２１５によって上記フォーカルプレーンシャッタ２１３のシャッタチャージのみを行う（ステップＳ１０６）。このことに伴い、上記第１実施形態におけるステップＳ１０８の処理（上記第１反射ミラー２０１を撮影光路内から退避させる処理）は、必要無い為行わない。
【０１０１】
以上説明したように、本第２実施形態によれば、上記第１実施形態に係るデジタル一眼レフレックスカメラと同様の効果を奏するデジタル一眼レフレックスカメラを提供することができる。
【０１０２】
以上、第１実施形態乃至第２実施形態に基づいて本発明を説明したが、本発明は上述した実施形態に限定されるものではなく、本発明の要旨の範囲内で種々の変形及び応用が可能なことは勿論である。
【０１０３】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【０１０４】
【図１】図１は、本発明の第１実施形態に係るデジタル一眼レフレックスカメラの外観斜視図である。
【図２】図２は、本発明の第１実施形態に係るデジタル一眼レフレックスカメラの全体構成を示すブロック図である。
【図３】図３は、本発明の第１実施形態に係るデジタル一眼レフレックスカメラにおけるモード切り換えの概念を示す図である。
【図４】図４は、本発明の第１実施形態に係るデジタル一眼レフレックスカメラにおけるモード切り換えに関する処理制御のみを示すフローチャートである。
【図５】図５は、本発明の第１実施形態に係るデジタル一眼レフレックスカメラの光学的な概略構成を示すブロック図である。
【図６】図６は、本発明の第１実施形態に係るデジタル一眼レフレックスカメラにおける通常撮影モードの動作制御を示すフローチャートである。
【図７】図７は、本発明の第１実施形態に係るデジタル一眼レフレックスカメラにおけるスルー画Ａモードの動作制御を示すフローチャートの第１の部分である。
【図８】図８は、本発明の第１実施形態に係るデジタル一眼レフレックスカメラにおける通常撮影モードの動作制御を示すフローチャートの第２の部分である。
【図９】図９は、本発明の第１実施形態に係るデジタル一眼レフレックスカメラにおけるスルー画Ｂモードの動作制御を示すフローチャートの第１の部分である。
【図１０】図１０は、本発明の第１実施形態に係るデジタル一眼レフレックスカメラにおける通常撮影モードの動作制御を示すフローチャートの第２の部分である。
【図１１】図１１は、本発明の第２実施形態に係るデジタル一眼レフレックスカメラにおけるスルー画Ｂモードの動作制御を示すフローチャートの第１の部分である。
【図１２】図１２は、本発明の第２実施形態に係るデジタル一眼レフレックスカメラにおける通常撮影モードの動作制御を示すフローチャートの第２の部分である。
【符号の説明】
【０１０５】
２１…レリーズボタン、  ３４…スルー画切り換えボタン、  ３５…表示切り換えボタン、  １０１ａ，１０１ｂ…レンズ、  １０１…撮影レンズ、  １０７…レンズ駆動機構、  １０９…絞り駆動機構、  １１１…レンズＣＰＵ、  ２０１…第１反射ミラー、  ２０１ａ…回動軸、  ２０３…サブミラー、  ２０５…フォーカシングスクリーン、  ２０９…接眼レンズ、  ２１３…シャッタ、  ２１３…フォーカルプレーンシャッタ、  ２１５…シャッタ駆動機構、  ２１６…サブミラー駆動機構、  ２１７…測距回路、  ２１９…ミラー駆動機構、  ２２１…メインＣＣＤ、  ２２３…ＣＣＤ駆動回路、  ２２５…ＣＣＤインターフェース、  ２２７…画像処理回路、  ２２９…ボディＣＰＵ、  ２３１…圧縮回路、  ２３３…フラッシュメモリ制御回路、  ２３５…フラッシュメモリ、  ２３６…ＳＤＲＡＭ制御回路、  ２３７…ＳＤＲＡＭ、  ２４９…液晶モニタ駆動回路、、  ２７１…第２反射ミラー、  ２７３…第３反射ミラー、  ２７５…第４反射ミラー、  ２７７…結像レンズ、  ２７９…ファインダ内ＣＣＤ、  ２８１…測光センサ、  ２８３…ＣＣＤ駆動回路、  ２８５…ＣＣＤ切り換え回路。
【図１】
2007279138.tif 000003
【図２】
2007279138.tif 000004
【図３】
2007279138.tif 000005
【図４】
2007279138.tif 000006
【図５】
2007279138.tif 000007
【図６】
2007279138.tif 000008
【図７】
2007279138.tif 000009
【図８】
2007279138.tif 000010
【図９】
2007279138.tif 000011
【図１０】
2007279138.tif 000012
【図１１】
2007279138.tif 000013
【図１２】
2007279138.tif 000014